(57)【要約】【課題】浴槽と浴槽用追焚アダプターとの接合部から漏れた水を検知する方法に関するもので、ドレンパン及び／又は排水ホ−スに水溶性の色素が施されているので、漏水時に洗い場に流れ出る水に色が付着しているため目視しやすくなり、しかも長期間に渡りその効果が持続可能となったものである。【解決手段】洗い場付浴槽の浴槽の外側の追焚口周囲にドレンパンを設け、該ドレンパンから伸びるホ−スの終端を浴槽に並設した洗い場内に導き、排水が洗い場にて目視できるようにした浴槽からの漏水検知方法であって、ドレンパン及び／又はホ−スに水溶性の色素を塗布或いは練り込まれていることを特徴とする浴槽からの漏水検知方法。ｅ‥ドレンパン、Ｌ１ ‥色素が施されるライン。【選択図】図１
2007020865.tif 000002
【特許請求の範囲】
【請求項１】
洗い場付浴槽の浴槽の外側の追焚口周囲にドレンパンを設け、該ドレンパンから伸びるホ−スの終端を浴槽に並設した洗い場内に導き、排水が洗い場にて目視できるようにした浴槽からの漏水検知方法であって、ドレンパン及び／又はホ−スに水溶性の色素を施しておくことを特徴とする浴槽からの漏水検知方法。
【請求項２】
水溶性の色素がドレンパン及び／又はホ−スの表面に塗布しておく請求項１記載の浴槽からの漏水検知方法。
【請求項３】
水溶性の色素がドレンパン及び／又はホ−スを構成する成分に練り込まれている請求項１記載の浴槽からの漏水検知方法。
【請求項４】
ドレンパンに施される水溶性の色素が、ドレンパンから伸びるホ−スの始端高さ以上の部分に施されている請求項１乃至３いずれか１記載の浴槽からの漏水検知方法。
【請求項５】
ホ−スに施される水溶性の色素が、ホ−スの最下部を除いて施されている請求項１乃至４いずれか１記載の浴槽からの漏水検知方法。
【請求項６】
水溶性の色素がベンガラである請求項１乃至５いずれか１記載の浴槽からの漏水検知方法。
【発明の詳細な説明】
【技術分野】
【０００１】
本発明は、浴槽と浴槽用追焚アダプターとの接合部から漏れた水を検知する方法に関するものである。
【背景技術】
【０００２】
浴槽と浴槽用追焚アダプターとの接合部からの漏水はしばしば起こることがあり、これを見過ごすと階下への漏水事故に繋がり、大きな問題となる。かかる漏水を検知する方法としては、特許文献１が挙げられる。特許文献１における発明は主として漏水を受ける水受け皿とこれに連結される排水パイプの構造である。
【０００３】
特に、漏水を早期に検知する手段としては、水受け皿の排水パイプの始端高さ以下の部分に水溶性の色素が設置されているもので、色素が漏水中に溶け込み、これを洗い場側に流出させ、着色水を目視できるようにして漏水の早期の発見に繋がることを目的としている。
【０００４】
【特許文献１】特開２００３−５２５６１号
【０００５】
しかるに、水受け皿内の水溶性の色素は、水彩絵具やポスターカラー、筆記用のインキと同様の材質の物が用いられ、通常時は固形、粉末、またはジェル状にて水受け皿の底部に保持されている。従って、空気中の酸素の働きや周囲の水分によってこれらが劣化、昇華等の変化がもたらされ、実際の漏水の際に役に立たなかったり、十分な色素の溶け出しがなかったりすることが懸念される。
【発明の開示】
【発明が解決しようとする課題】
【０００６】
本発明にあっては、色素が確実に漏水に触れ、しかも長期間の間でも色素が劣化することがなく、漏水が確実に検知可能となる方法を提供するものである。
【課題を解決するための手段】
【０００７】
本発明の要旨は、洗い場付浴槽の浴槽の外側の追焚口周囲にドレンパンを設け、該ドレンパンから伸びるホ−スの終端を浴槽に並設した洗い場内に導き、排水が洗い場にて目視できるようにした浴槽からの漏水検知方法であって、ドレンパン及び／又はホ−スに水溶性の色素を施しておく漏水検知方法である。
【０００８】
具体的には、水溶性の色素がドレンパン及び／又はホ−スの表面に塗布し、或いは、ドレンパン及び／又はホ−スを構成する樹脂又はゴム様成分に練り込まれるものである。
【０００９】
更に好ましくは、ドレンパンに施される水溶性の色素はベンガラであり、そして、ドレンパンから伸びるホ−スの始端高さ以上の部分に施されているか、ホ−スに施される水溶性の色素が、ホ−スの最下部を除いて施されている構造のものがよい。
【発明の効果】
【００１０】
本発明の方法によれば、発明を構成する部品点数が少なく、かつその構造が簡単であり、漏水に際して使用者が容易に発見でき、漏水からの被害を最小限に防ぐことができる方法を提供したものである。
【発明を実施するための最良の形態】
【００１１】
用いられる色素は、ドレンパン或いは排水ホ−スに、塗布或いはその成分中に練り込まれて存在するものであり、しかも、結露水の流れには影響されない位置にこれを施せば、漏水の発見は速やかで、しかも色素の効果も長期間に渡り変化することがなく存在するものである。
【００１２】
従って、ドレンパンで言えば、連結される排水ホ−スの始端よりも上の位置に色素が施されるのがよく、排水ホ−スで言えば、装着された際にホ−スの下部には施さない方が好ましいものである。水溶性の色素は特に限定されるものではなく、水彩絵具やポスターカラー、筆記用のインキと同様の材質のものでよい。勿論、色素は複数を別々に施したものでもよく、施す位置を特定しておけば、これによって漏水の程度も目視によって判断可能ともなる。
【００１３】
本発明でいう色素とは可視光線を固有の色相を示す有色物質のうちの水溶性の色素であり、素材に対し、親和性をもち、染着性をもつものを染料といい、それ自体では素材に対して染着性を有さないものを顔料というが、本発明では漏水に対して溶け出す機能をもつものであればいずれのものも使用可能であるが、主として顔料が好んで使用される。
【００１４】
染料としては、水溶性で塩基性染料（例えばメチレンブル−）、酸性染料（オレンジＩＩ）、直接染料（コンゴ−レッド）、非水溶性で硫化染料（サルファ−ブラックＴ）、酒精溶染料（スピリットブル−）等があり、顔料としては、例えば、グンジョウ、ベンガラ、鉛白、チタン白等の無機顔料、アゾ系、キノリン系、フタロシアニン系等の有機顔料がある。このうちでも、取扱いの容易さや入手のしやすさ、価格の点から顔料のベンガラが好適である。
【実施例】
【００１５】
以下、本発明を実施例をもって更に詳細に説明する。図１は浴室ａの全体構造を示すものであり、浴槽ｂと洗い場ｃ及びこの周辺を囲んで図示しない側壁パネルとドアを立設し、更に側壁パネルの上部に図示しない天井パネルを設置してなるものである。
【００１６】
さて、浴槽ｂ側面には追焚アダプターｄが設けられており、この部位からの漏水に備えてドレンパンｅが設置される。従って、漏水があった場合には、このドレンパンｅがその受け皿となる。このドレンパンｅにはポリオレフィン系樹脂よりなる排水ホ−スｆが備えられている。漏水が発生した場合には、ドレンパンｅに溜められ、排水ホ−スｆを通り、洗い場ｃに排水され、排水トラップｇを通って排水される。
【００１７】
尚、ドレンパンｅはフランジｅ１ が備えられ、この部位を利用して任意の方法で浴槽２に固定される。ホ−スｆの終端は、好ましくは、使用者の目に触れない位置に配置されるのがよく、この例では、点検口蓋ｈにて隠蔽された部分にホ−スｆの終端を設置したものである。
【００１８】
図２はここで用いられるドレンパンｅのみを取り出した図であるが、色素（ベンガラ）はラインＬ１ よりも上の部位に施されるのがよく、これよりも下側であると、結露水等によって溶け出してしまって漏水と誤認したり、本来の漏水時にはその効果がなくなってしまっているという懸念もあるためである。勿論、色素はドレンパンｅの表面に塗布したり、或いはこれがプラスチックの場合には成形材料中に練り込むことによって得られることになる。勿論、ラインＬ１ を挟んで別の色素を施すのもよい方法である。
【００１９】
図３は排水ホ−スｆのみを取り出した図であるが、色素はラインＬ２ よりも上側に施されるのが好ましい。ラインＬ２ よりも下側の場合には前項の場合と同様の誤認したり、いざという時に効果が小さい等という懸念がある。又、前項にて説明したようにラインＬ２ を挟んで別の色素を施すこともできることは言うまでもない。
【産業上の利用可能性】
【００２０】
ドレンパン及び／又は排水ホ−スに水溶性の色素が施されているので、漏水時に洗い場に流れ出る水に色が付着しているため目視しやすくなり、しかも長期間に渡りその効果が持続可能となったものである。
【図面の簡単な説明】
【００２１】
【図１】図１は本発明の洗い場付き浴槽の側断面図である。
【図２】図２は本発明のドレンパンの図である。
【図３】図３は本発明の排水ホ−スの図である。
【符号の説明】
【００２２】
ａ‥浴室、
ｂ‥浴槽、
ｃ‥洗い場、
ｄ‥追焚アダプター、
ｅ‥ドレンパン、
ｆ‥ホ−ス、
ｇ‥排水トラップ、
ｈ‥点検口蓋、
Ｌ１ 、Ｌ２ ‥色素が施されるライン。
【図１】
2007020865.tif 000003
【図２】
2007020865.tif 000004
【図３】
2007020865.tif 000005